(57)【要約】【課題】散水管を散水管の管軸線を中心として所定角度往復旋回させる旋回機構を設け、旋回機構は旋回用モータ及び旋回用カムを含んでなるから、散水管の所定角度往復旋回により散水管内の水は散水管の外周部位の散水口部から消雪部位に向けて首振状に散水され、水は消雪部位に面状に散水され、かつ、旋回機構は旋回用モータ及び旋回用カムを含んでなるから、旋回機構の構造を簡素化することができると共に旋回用モータの連続的な一方向回転により散水管の管軸線を中心とする所定角度往復旋回動作を円滑に連続して行うことができる。【解決手段】消雪部位Ｓに散水可能な散水口部４を外周部位に有する散水管３及び散水管に消雪用の水Ｗを給送可能な給水管２を備えてなり、散水管を散水管の管軸線Ｏを中心として所定角度θ往復旋回させる旋回機構６を設け、旋回機構は旋回用モータ７ａ及び旋回用カム７ｂを含んでなる。【選択図】図１
2017031662.tif 000002
【特許請求の範囲】
【請求項１】
消雪部位に散水可能な散水口部を外周部位に有する散水管及び該散水管に消雪用の水を給送可能な給水管を備えてなり、上記散水管を該散水管の管軸線を中心として所定角度往復旋回させる旋回機構を設け、該旋回機構は旋回用モータ及び旋回用カムを含んでなることを特徴とする散水消雪装置。
【請求項２】
上記旋回用カムは、溝カムであることを特徴とする請求項１記載の散水消雪装置。
【発明の詳細な説明】
【技術分野】
【０００１】
本発明は、屋根、道路、駐車場等の積雪を散水により消雪する散水消雪装置に関するものである。
【背景技術】
【０００２】
従来、この種の散水消雪装置として、屋根、道路、駐車場等の消雪部位に散水可能な散水口部を外周部位に有する散水管及び散水管に消雪用の水を給送可能な給水管を備えてなる構造のものが知られている。
【先行技術文献】
【特許文献】
【０００３】
【特許文献１】特開平９−２９１５１８号公報
【発明の概要】
【発明が解決しようとする課題】
【０００４】
しかしながらこれら従来構造の場合、上記散水管を管軸線方向に往復動作させる構造や上記散水管をモータの正逆回転により散水ノズルを所定角度往復回動させる構造が採用されており、しかして、これら散水管を往復動作させるための構造及びモータを正逆回転させるための構造が複雑化し易くなることがあるという不都合を有している。
【課題を解決するための手段】
【０００５】
本発明はこれらの不都合を解決することを目的とするもので、本発明のうちで、請求項１記載の発明は、消雪部位に散水可能な散水口部を外周部位に有する散水管及び該散水管に消雪用の水を給送可能な給水管を備えてなり、上記散水管を該散水管の管軸線を中心として所定角度往復旋回させる旋回機構を設け、該旋回機構は旋回用モータ及び旋回用カムを含んでなることを特徴とするものである。
【０００６】
又、請求項２記載の発明は、上記旋回用カムは、溝カムであることを特徴とするものである。
【発明の効果】
【０００７】
本発明は上述の如く、請求項１記載の発明にあっては、消雪部位に散水可能な散水口部を外周部位に有する散水管及び散水管に消雪用の水を給送可能な給水管を備えてなり、上記散水管を散水管の管軸線を中心として所定角度往復旋回させる旋回機構を設け、旋回機構は旋回用モータ及び旋回用カムを含んでなるから、水は給水管から散水管に給水され、散水管の所定角度往復旋回により散水管内の水は散水管の外周部位の散水口部から消雪部位に向けて首振状に散水され、水は消雪部位に面状に散水され、消雪部位の積雪を効率的に消雪することができ、かつ、上記散水管を散水管の管軸線を中心として所定角度往復旋回させる旋回機構は旋回用モータ及び旋回用カムを含んでなるから、旋回機構の構造を簡素化することができると共に旋回用モータの連続的な一方向回転により散水管の管軸線を中心とする所定角度往復旋回動作を円滑に連続して行うことができ、消雪作業性を向上することができる。
【０００８】
又、請求項２記載の発明にあっては、上記旋回用カムは溝カムであるから、確動カムとなってカム動作を確実に行うことができると共に構造を簡素化することができて製造コストの低減を図ることができる。
【図面の簡単な説明】
【０００９】
【図１】本発明の実施の形態例の斜視図である。
【図２】本発明の実施の形態例の正面図である。
【図３】本発明の実施の形態例の平面図である。
【図４】本発明の実施の形態例の右側面図である。
【図５】本発明の実施の形態例の使用状態の説明右側面図である。
【図６】本発明の実施の形態例の使用状態の説明右側断面図である。
【図７】本発明の実施の形態例の使用状態の説明側断面図である。
【発明を実施するための形態】
【００１０】
図１乃至図７は本発明の実施の形態例を示し、１は機枠であって、この場合、図１、図４の如く、背板１ａ、背板１ａの上部に設けられた上部杆１ｂ及び背板１ａの下部に設けられた下部杆１ｃから構成されている。
【００１１】
２は給水管であって、図１、図２の如く、この場合、管部２ａ及び二個の分岐配管部２ｂ・２ｂからなり、給水管２は下部杆１ｃに取付金具Ｂによって固定され、給水管２には図示省略のポンプが接続され、ポンプにより消雪用の水Ｗは給送されるように構成している。
【００１２】
３は散水管であって、この場合、図１、図３の如く、複数個、この場合、二個の散水管３・３の外周部位に散水口部４が形成され、上記上部杆１ｂに二個の軸受筒３ａ・３ａを取付金具Ｂにより並列状に縦設し、各軸受筒３ａ・３ａに各散水管３・３の上端部を軸受けし、各散水管３・３の上端は閉塞され、各散水管３・３の下端部と上記各分岐配管部２ｂ・２ｂとは各散水管３・３の管軸線Ｏを中心とする所定角度θ分往復捩り旋回を可能とする可捻性を有するゴムホース等の可捻性管材５により連結され、これにより各散水管３・３は管軸線Ｏを中心として所定角度θ、この場合、約６０度程度、往復旋回自在に構成されている。
【００１３】
６は旋回機構であって、この場合、図１、図３の如く、駆動機構７及び従動機構８からなり、この場合、駆動機構７として、旋回用モータ７ａ及び旋回用カム７ｂを備えてなり、又、従動機構８として、上記上部杆１ｂにガイド枠体８ａを取り付け、ガイド枠体８ａに従動部材８ｂを直線往復移動自在に構成している。
【００１４】
この場合、上記機枠１の上部に上記旋回用モータ７ａを横設し、旋回用モータ７ａの主軸に旋回用カム７ｂを取り付け、この場合、旋回用カム７ｂはカム面板７ｃに略ハート形状のカム曲線をもつカム溝７ｄを有する溝カムＫが用いられ、一方、上記従動部材８ｂに取付部材８ｃを立設し、取付部材８ｃに上記カム溝７ｄに摺動嵌合可能なカムローラ７ｅを取り付けてなり、更に、上記各散水管３・３の上端部に揺動レバー３ｂ・３ｂの基端部を取り付け、各揺動レバー３ｂ・３ｂ間に長尺状の連結板８ｄを連結ピン８ｅ・８ｅにより枢着し、従動部材８ｂに伝達部材８ｆを取り付け、連結板８ｄに滑動ピン８ｇを立設し、伝達部材８ｆに滑動ピン８ｇに摺動係合可能な係合溝部８ｈを形成して構成している。
【００１５】
しかして、上記旋回用モータ７ａの主軸の連続的な一方向回転により旋回用カム７ｂは連続して一方向に回転し、旋回用カム７ｂのカム溝７ｄとカムローラ７ｅとの摺動係合により従動部材８ｂはガイド枠体８ａにより案内されて直線往復移動し、従動部材８ｂの直線往復移動により滑動ピン８ｇと係合溝部８ｈとの摺動係合作用により連結板８ｄは往復移動し、連結板８ｄの往復移動により各揺動レバー３ｂ・３ｂは各散水管３・３の管軸線Ｏを中心として揺動運動し、これにより各散水管３・３は所定角度θ、この場合、約６０度程度、往復旋回し、水Ｗは給水管２から可捻性管材５を介して各散水管３・３に給水され、各散水管３・３の所定角度θ往復旋回により各散水管３・３内の水Ｗは各散水管３・３の外周部位の散水口部４から消雪部位Ｓに向けて首振状に散水され、水Ｗは消雪部位Ｓに面状に散水されることになる。
【００１６】
この実施の形態例は上記構成であるから、例えば、図５の如く、上記機枠１を建物Ｔの軒下の外壁部に立設状に取り付け、機枠１には消雪部位Ｓに散水可能な散水口部４を外周部位に有する複数の散水管３・・及び各散水管３・・に消雪用の水Ｗを給送可能な給水管２を備えてなり、上記各散水管３・・を各散水管３・・の管軸線Ｏを中心として所定角度θ往復旋回させる旋回機構６を設け、旋回機構６は旋回用モータ７ａ及び旋回用カム７ｂを含んでなるから、水Ｗは給水管２から各散水管３・・に給水され、各散水管３・・の所定角度θ往復旋回により各散水管３・・内の水Ｗは各散水管３・・の外周部位の散水口部４から消雪部位Ｓに向けて首振状に散水され、水Ｗは消雪部位Ｓに面状に散水され、消雪部位Ｓの積雪を効率的に消雪することができ、かつ、上記各散水管３・・を各散水管３・・の管軸線Ｏを中心として所定角度θ往復旋回させる旋回機構６は旋回用モータ７ａ及び旋回用カム７ｂを含んでなるから、旋回機構６の構造を簡素化することができると共に旋回用モータ７ａの連続的な一方向回転により散水管３の管軸線Ｏを中心とする所定角度θ往復旋回動作を円滑に連続して行うことができ、消雪作業性を向上することができる。
【００１７】
又、この場合、上記旋回用カム７ｂは溝カムＫであるから、確動カムとなってカム動作を確実に行うことができると共に構造を簡素化することができて製造コストの低減を図ることができる。
【００１８】
又、上記実施の形態例の他の適用例として、図６の如く、建物Ｔの切妻状の屋根Ｙの軒先部に機枠１を横臥状に取り付け、屋根Ｙの雪止め壁Ｇの内側の積雪である消雪部位Ｓに散水して消雪したり、又、更に、上記実施の形態例の他の適用例として、図７の如く、建物Ｔの陸屋根状の屋根Ｙに機枠１を横臥状に取り付け、屋根Ｙの雪止め壁Ｇの内側の積雪である消雪部位Ｓに散水して消雪したりすることも可能である。
【００１９】
尚、本発明は上記実施の形態例に限られるものではなく、機枠１、給水管２、散水管３、散水口部４、旋回機構６等の構造は適宜変更して設計されるものである。
【００２０】
又、上記実施の形態例においては、散水管３の数を二個としたり、八個として図示しているが、消雪部位Ｓの広さに応じて、散水管３の数は変更して設計されるものであり、これに応じ、具体的には、連結板８ｄの長さは変更されることになる。
【００２１】
以上、所期の目的を充分達成することができる。
【符号の説明】
【００２２】
Ｗ    水
Ｏ    管軸線
θ    所定角度
Ｓ    消雪部位
２    給水管
３    散水管
４    散水口部
６    旋回機構
７ａ    旋回用モータ
７ｂ    旋回用カム
【図１】
2017031662.tif 000003
【図２】
2017031662.tif 000004
【図３】
2017031662.tif 000005
【図４】
2017031662.tif 000006
【図５】
2017031662.tif 000007
【図６】
2017031662.tif 000008
【図７】
2017031662.tif 000009